(57)【特許請求の範囲】
【請求項１】
携帯電子機器とネットワーク接続可能で、かつ該携帯電子機器が持つ情報、及び携帯電子機器に保持されたネットワーク上の接続先情報に基づき当該接続先からダウンロードして取得した当該接続先の情報、のそれぞれの電子機器関連情報を取得して印刷処理する手段を備えた印刷装置において、
前記印刷装置は印刷装置が設置されている店名情報を含む環境情報を備え、
前記環境情報をヘッダまたはフッタの位置に配置して、前記携帯電子機器から取得した電子機器関連情報に、前記環境情報及び前記携帯電子機器から取得した前記携帯電子機器が内蔵する個人識別情報をヘッダまたはフッタの位置に付加して印刷することを特徴とする印刷装置。
【請求項２】
請求項１に記載された印刷装置と携帯電子機器とをネットワーク接続したことを特徴とする印刷システム。
【発明の詳細な説明】
【０００１】
【発明の属する技術分野】
本発明は、印刷装置に関し、印刷装置と携帯電子機器とをローカル又はインターネット等のネットワークを介して接続し、携帯電子機器から送信した情報と印刷装置に備えた情報とを自由に付加して印刷できるようにした印刷装置及び印刷システムに関するものである。
【０００２】
【従来の技術】
携帯電話に代表される携帯電子機器はごく普通になりつつある。携帯電子機器はこれまでのPC（Personal Computor）とは異なり、単一目的の用途に特化させる代わりに非常に使い易くなっている。携帯電子機器の種類としては携帯電話、PDA（Personal Digital Assistance）などがあり電話・スケジュール管理・住所録・電話帳などの情報を持っている。さらにこれら携帯電子機器の最近の傾向としてインターネットへの対応が見られる。例えば、E-mailで世界中の人たちとメール通信をリアルタイムかつどこでも行うことができるようになり、Webブラウザでインターネット情報をダイレクトに検索したりデータを引き出すことができる。
具体的な例を示せば、例えば特開平10-222527号公報には、携帯電子機器（携帯情報端末装置）の使用者が、所望の情報をサービスセンターから検索し、使用者が指定した場所でその検索データを出力することが可能な情報出力システムとして、例えばPDA（Personal Digital Assistants）等の携帯端末機器を用いて、検索依頼対象及びデータ出力先を指定した検索出力要求情報をサービスセンターに送信し、サービスセンターでは、受信した検索出力要求情報で指定される検索依頼対象に基づいて、データベース等から対応するデータを検索し、サービスセンターでは指定されたデータ出力先へ検索したデータを送信出力する情報出力システムが開示されている。
現在では、このような携帯電子機器の情報伝達機能を応用して、インターネット上で提供されているオンラインショッピングやチケット手配、銀行振込さえ携帯電子機器でできるようなっている。
【０００３】
【発明が解決しようする課題】
携帯電子機器は以上のようにきわめて便利な情報入出力手段として利用されているが、現在使用されているこれら携帯電子機器には、そのための印刷手段が提供されていないという問題がある。これは携帯電子機器が単一目的用に特化されたが故に、プリンタを使用するためのソフトウェア（プリンタドライバ）が搭載されておらず、他方、その携帯性を重視したため、プリンタと接続する例えばコネクタ等のハードウェアが完備されていないことにより、携帯電子機器でプリンタを動作させることができないということである。
また、携帯電子機器は携帯性を重視する結果、操作パネルも一般的に小さなものしか装備されておらず、そのため参照している情報を大きなスケールで見たいとか、手元にどうしても紙で残して置きたいといった要求が特に強いにも拘わらず、携帯電子機器は非常に安価なため、本体の数倍から数十倍も高価な専用プリンタを購入することは利用者にとって考えられないことであり、その要求解決のための対策がなされていないのが現状である。
【０００４】
ところで,コンビニエンスストアや一般オフィスに導入されているコピー機は、現在ほとんどデジタル化が完了しMFP（Multi Function Peripheral：多機能周辺機器）化しており、PCやその他のデバイスからのデータに基づいて印刷を行う機能を持つものが殆どである。さらに現在では、ネットワーク接続され、イントラネット上で共有されることも多い。
【０００５】
そこで、本発明の目的は、このようなコンビニエンスストアやオフィスに設置されたMFPと携帯電子機器を接続して印刷システムを構成し、そのシステムにより印刷を行えるようにすることである。
【０００６】
【課題を解決するための手段】
本発明は、携帯電子機器が保持している個人識別情報や印刷装置の環境情報を、携帯電子機器が持つE-mailや電話帳などの情報、更には、インターネットなどのネットワークを通じてダウンロードして得た情報に追加して印刷できるようにするものであって、請求項１の発明は、携帯電子機器とネットワーク接続可能で、かつ該携帯電子機器が持つ情報、及び携帯電子機器に保持されたネットワーク上の接続先情報に基づき当該接続先からダウンロードして取得した当該接続先の情報、のそれぞれの電子機器関連情報を取得して印刷処理する手段を備えた印刷装置において、前記印刷装置は印刷装置が設置されている店名情報を含む環境情報を備え、前記環境情報をヘッダまたはフッタの位置に配置して、前記携帯電子機器から取得した電子機器関連情報に、前記環境情報及び前記携帯電子機器から取得した前記携帯電子機器が内蔵する個人識別情報をヘッダまたはフッタの位置に付加して印刷することを特徴とする印刷装置である。
【０００７】
請求項２の発明は、請求項１に記載された印刷装置と携帯電子機器とをネットワーク接続したことを特徴とする印刷システムである。
【００１０】
【発明の実施の形態】
図面を参考にして本発明の実施の形態を説明する。
図１Ａ，Ｂはそれぞれ本発明の印刷装置ハードウェア構成を示す。図１Ａ中、印刷部（１）は中央処理部（２）から印刷処理要求と印刷イメージを受け印刷を行うとともに、中央処理部（２）へ現在の印刷枚数を通知する機能を有している。 中央処理部（２）は本印刷装置の環境情報（設置場所、住所、店の名前、日時）を保持しており、操作部（３）を通して利用者からの要求を受け、印刷部（１）へ印刷処理要求を発行し、かつ利用者に印刷装置の状態や警告を通知すると共に、ネットワークインターフェイス（４）を通してネットワークに接続された他機器と通信することができる。更に、一体一インターフェース部（５）を通して携帯電話等の機器と一対一で通信することもができる。
操作部（３）は、中央処理部（２）に接続されており、ユーザへの表示機能や入力機能（「印刷」ボタン等）を備えている。
【００１１】
ネットワークインターフェース部（４）は、ネットワークに接続するための機構を持ち他のＯＡ機器や携帯電話等の機器と情報の伝達が可能であり、固有のネットワーク識別子を持つ。また、中央処理部（２）からの要求をネットワークに送出し、ネットワークからの情報を中央処理部（２）へ伝達する。
一対一インタフェース部（５）は、携帯電話等の機器と一対一で接続するためのインタフェースである。一体一インタフェース部は、中央処理部（２）の要求を変換し携帯電話等に伝え、かつ携帯電話からの応答を中央処理部（２）へ伝えることができる。
【００１２】
図１Ｂは本発明の印刷装置の別の実施形態のハードウエア構成を示し、第１の実施形態との差異は、この実施形態では一対一インターフェース部がないだけでその他の構成は同様である。
【００１３】
図２Ａ，Ｂは、本発明が動作するＯＡ機器間の構成を示し、実際には複数台のPersonal Computor、ＯＡ機器が接続されている。
図２Ａは、第一の実施形態のＯＡ機器間構成を示し、印刷装置と携帯電話装置などの携帯電子機器は、インターネットなどのネットワークに接続された印刷装置と一対一に接続されている。
【００１４】
図２Ｂは、第二の実施形態のＯＡ機器間構成を示し、携帯電話装置などの携帯電子機器は、インターネットなどのネットワークを介して印刷装置に接続されている。
【００１５】
図３は印刷装置に保持されている情報例を示し、ここでは、例えば、コンビニエンスストアのレジの横等の設置場所情報、設置位置の住所、その店の名前、印刷日時等の情報が保持されている。
【００１６】
図４は携帯電話に保持されている情報例を示し、Ｅ−メール情報（E-mail１・・３）、電話帳情報（電話帳ユーザ１・・３）、自身の携帯電話番号、自身のメールアドレス、携帯電話所有者名等が保持されている。
次に、以上で説明した印刷装置、携帯電子機器及び夫々に保持された情報に基づいて実際に印刷を行う場合における処理フローについて説明する。
【００１７】
図５は、以上で説明した第１及び第２の実施形態の印刷装置において行われる中央処理部（２）の第１の処理手順を説明するためのフロー図である。
印刷装置の中央処理部（２）は、ネットワークインターフェース部（４）又は一対一インターフェース部（５）を介して携帯電話装置に接続している場合は（S101、はい）、操作部（３）を操作表示して（S102）、携帯電話装置に保持された情報の種類（Eメール情報、電話帳情報、URL（Uniform Resource Locator；インターネット上のオブジェクト（情報の記録場所）を示す情報）を選択し（S103）、それぞれの選択に応じてそれぞれネットワークインターフェース（４）または一対一インターフェース（５）を介して携帯電話からEメール情報（S104）、電話帳情報（ＳS106）、URL情報（S106）を取得し、更にURL情報からURL先情報をダウンロードし（S107）、続いてそれぞれネットワークインターフェース（４）または一対一インターフェース（５）を介して携帯電話から個人識別情報（自局番号、所有者メールアドレス、所有者名等）を取得し(S108)、取得したEメール情報、電話帳情報、URL先情報等を印刷画像情報に変換し(S209)、さらに環境情報を印刷画像情報に変換し(S109)、更に個人識別情報と環境情報を印刷画像情報に変換して（ヘッダやフッタの位置に個人識別情報と環境情報を配置し）（S110)、得られた双方の画像情報を印刷部（１）にオーバーラップして転送し、そこで印刷を行う（S111）。
【００１８】
図６は、以上で説明した第１及び第２の実施形態の印刷装置において行われる中央処理部（２）の第２の処理手順を説明するためのフロー図である。
印刷装置の中央処理部（２）は、ネットワークインターフェース部（４）又は一対一インターフェース部（５）を介して携帯電話装置に接続している場合は（S201、はい）、操作部（３）を操作表示して（S202）、携帯電話装置に保持された情報の種類（Eメール情報、電話帳情報、URL情報）を選択し（S203）、それぞれの選択に応じてそれぞれネットワークインターフェース（４）または一対一インターフェース（５）を介して携帯電話からEメール情報（S204）、電話帳情報（ＳS206）、URL情報（S206）を取得し、更にURL情報からURL先情報をダウンロードし（S207）、続いて印刷装置に保持された該印刷装置の環境情報（設置場所、住所、店の名前、日時の情報）を取得する（S208）。続いて、取得したEメール情報、電話帳情報、URL先情報等を印刷画像情報に変換し(S209)、さらに環境情報を印刷画像情報に変換し(S210)、得られた双方の画像情報を印刷部（１）にオーバーラップして転送し、そこで印刷を行う（Ｓ211）。
【００１９】
図７は、以上で説明した第１及び第２の実施形態の印刷装置において行われる中央処理部（２）の第３の処理手順を説明するためのフロー図である。
印刷装置の中央処理部（２）は、ネットワークインターフェース部（４）又は一対一インターフェース部（５）を介して携帯電話装置に接続している場合は（S301、はい）、操作部（３）を操作表示して（S302）、携帯電話装置に保持された情報の種類（Eメール情報、電話帳情報、URL情報）を選択し（S303）、それぞれの選択に応じてそれぞれネットワークインターフェース（４）または一対一インターフェース（５）を介して携帯電話からEメール情報（S304）、電話帳情報（S305）、URL情報（S306）を取得し、更にURL情報からURL先情報をダウンロードし（S307）、続いてそれぞれネットワークインターフェース（４）または一対一インターフェース（５）を介して携帯電話から個人識別情報（自局番号、所有者メールアドレス、所有者名等）を取得し(S308)、印刷装置に保持された該印刷装置の環境情報（設置場所、住所、店の名前、日時の情報）を取得する（S309）。続いて、取得したEメール情報、電話帳情報、URL先情報等を印刷画像情報に変換し(S310)、更に個人識別情報と環境情報を印刷画像情報に変換して（ヘッダやフッタの位置に個人識別情報と環境情報を配置し）（S210)、得られた双方の画像情報を印刷部（１）にオーバーラップして転送し、そこで印刷を行う（S312）。
以上、本発明によれば、携帯電気機器を印刷装置にネットワーク接続することにより、携帯電子機器の情報を利用して何時でも自由に必要な情報を印刷することができる。
【００２０】
【発明の効果】
請求項１に対応した効果；（１）携帯電子機器に内蔵されている個人識別情報を、該携帯電話が持つ他の情報に付加して印刷するため、印刷結果が自分のものか否か容易に判断でき、店舗で、複数のユーザが競合したとき自分のものを容易に区別することができる。
（２）携帯電子機器が持つ情報に、前記印刷装置が設置されている環境情報を付加して印刷するため、印刷結果がどこでいつ印刷されたものか容易に判断することができる。
（３）印刷装置が設置されている環境情報を、携帯電子機器に内蔵されている個人識別情報及び携帯電子機器から取得した電子機器関連情報に付加して印刷する手段を備えているため、結果が自分のものか否か容易に判断することができる。また、店舗で、複数のユーザが競合したとき自分のものを区別できると共に印刷結果がどこでいつ印刷されたものか容易に判断することができる。
請求項２に対応した効果；携帯電子機器と印刷装置とをネットワーク接続した印刷システムとすることにより、複数の電子機器で印刷装置を共有できるとともに、携帯電子機器に登録した情報源の位置情報に基づき、例えば、インターネットなどのネットワークを介して目的とする情報源に容易にアクセスできるため、必要な情報をいつでも自由に印刷することができる。
【図面の簡単な説明】
【図１】本発明の印刷装置ハードウェア構成を示す。
【図２】本発明が動作する印刷装置の構成を示す。
【図３】印刷装置に保持された情報を示す。
【図４】携帯電子機器（携帯電話）に保持された情報を示す。
【図５】本発明の印刷システムにおける第１の印刷動作を説明するためのフロー図である。
【図６】本発明の印刷システムにおける第２の印刷動作を説明するためのフロー図である。
【図７】本発明の印刷システムにおける第３の印刷動作を説明するためのフロー図である。
【符号の説明】
１…印刷部、２…中央処理部、３…操作部、４…ネットワークインターフェース部、５…一対一インターフェース部、
【図１】
0004363555.tif 000002
【図２】
0004363555.tif 000003
【図３】
0004363555.tif 000004
【図４】
0004363555.tif 000005
【図５】
0004363555.tif 000006
【図６】
0004363555.tif 000007
【図７】
0004363555.tif 000008